(57)【要約】【課題】当日に窓口で並ぶ必要がなく且つ、当日以外に出向く必要もなく、さらに出発の直前においても入場券等を手に入れることが可能なシステムを提供する【解決手段】サービス提供者が予め市中にパス１を大量に配付する。パス１には記憶媒体２が内蔵されている。記憶媒体には、記号（予備記憶記号）が記憶されている。またパス１の表面には、先の予備記憶記号と同一の記（表示記号）が表示されている。サービスの提供を受けたいと思った時に所定の内容をインターネット回線を通じて表示記号を及び使用日、使用者を通知し、クレジットカードでパスの購入に要する費用を清算する。パス１を持参し、入場ゲート１３を通過すると、入場ゲート１３に内蔵されたリーダー装置１５がパス１の記憶内容を読み出し、予備記憶記号を、記憶された使用日及び予備記憶記号と照合し、該当するものがあった場合には、パス１が有効であると判断する。【選択図】図３
2007188256.tif 000002
【特許請求の範囲】
【請求項１】
サービス提供者は読み取り装置を有し、読み取り装置が有効であると判断したパスを保持する者に対して所定のサービスを提供するものであり、前記サービス提供者は、多数の者に対してパスを配付し、当該パスには読み取り可能な記憶媒体が設けられていると共に各パスの記憶媒体には重複の無い予備記憶記号が記憶されており、さらに前記パス又はパスの付属品には重複の無いパス表示記号が表示されており、サービスの享受を希望する者は、前記パス表示記号をサービス提供者に伝え、前記読み取り装置はパス表示記号に対応する予備記憶記号が記憶されたパスを有効なパスと判断することを特徴とするサービス提供システム。
【請求項２】
サービス提供者は、パスの記号を記憶する記憶手段と、パスに内蔵された記憶媒体から記憶された信号を読み取るリーダー装置と、リーダー装置が読み出した記号と記憶手段が記憶する記号とを比較してパスの有効性を判断する判断手段とを有し、前記サービス提供者は、多数の者に対してパスを配付し、当該パスには読み取り可能な記憶媒体が設けられていると共に各パスの記憶媒体には重複の無い予備記憶記号が記憶されており、さらに前記パス又はパスの付属品には重複の無いパス表示記号が表示されており、サービスの享受を希望する者は、回線を使用して前記パス表示記号をサービス提供者に発信し、受信された表示記号に対応する予備記憶記号が前記記憶手段に入力されることを特徴とするサービス提供システム。
【請求項３】
サービスの享受を希望する者は、サービスに対する対価を支払い、当該対価の支払いが確認されたことを条件の一つとしてパスの有効性が判断されることを特徴とする請求項１又は２に記載のサービス提供システム。
【請求項４】
パスは無償で配付されることを特徴とする請求項１乃至３のいずれかに記載のサービス提供システム。
【請求項５】
パスは付録として配付されることを特徴とする請求項１乃至４のいずれかに記載のサービス提供システム。
【請求項６】
パスは他の物の一部であり、これを切り取ってパスとして使用されることを特徴とする請求項１乃至５のいずれかに記載のサービス提供システム。
【請求項７】
ゲートを有し、パスが有効である場合に当該ゲートが開くことを特徴とする請求項１乃至６のいずれかに記載のサービス提供システム。
【請求項８】
サービスの享受を希望する者は、サービスの内容を選択可能であることを特徴とする請求項１乃至７のいずれかに記載のサービス提供システム。
【発明の詳細な説明】
【技術分野】
【０００１】
本発明は、遊園地、テーマパーク、映画、演劇その他のサービスを提供するためのシステムに関するものである。
【背景技術】
【０００２】
旧来、遊園地やテーマパーク等の入場券は、当日に遊園地等の窓口で購入することが一般的であった。しかしながら、土曜日や日曜日等では遊園地等の窓口が混み合い、時間が無駄になることから、近年では、市内のプレイガイドや、コンビニエンスストア、旅行代理店の窓口でも入場券を販売する場合がある。
また通信販売で入場券を購入することができる場合もある。
パスを使用して遊園地等のゲートを開閉させる方策は特許文献１に開示されている。
【特許文献１】特開２００５−１４８８４１号公報
【発明の開示】
【発明が解決しようとする課題】
【０００３】
遊園地等の窓口以外で入場券を購入する場合には、入場前にコンビニエンスストア等に出向かなければならず、二度手間であって面倒である。
通信販売によって入場券を購入する方策によれば、予め出向く必要は無いが、当日までに入場券が到達するか否か、不安である。また通信販売による場合は、日数に余裕を見て早い時期に注文することが多いので、別の用事で当日に遊園地に行けない場合もあるというリスクがある。
【０００４】
そこで本発明は、従来技術の上記した問題点に注目し、当日に現地の窓口で並ぶ必要がなく、且つ当日以外に出向く必要もなく、さらに出発の直前においても入場券等を手に入れることが可能なシステムを提供することを課題とするものである。
【課題を解決するための手段】
【０００５】
そして上記した課題を解決するための請求項１に記載の発明は、サービス提供者は読み取り装置を有し、読み取り装置が有効であると判断したパスを保持する者に対して所定のサービスを提供するものであり、前記サービス提供者は、多数の者に対してパスを配付し、当該パスには読み取り可能な記憶媒体が設けられていると共に各パスの記憶媒体には重複の無い予備記憶記号が記憶されており、さらに前記パス又はパスの付属品には重複の無いパス表示記号が表示されており、サービスの享受を希望する者は、前記パス表示記号をサービス提供者に伝え、前記読み取り装置はパス表示記号に対応する予備記憶記号が記憶されたパスを有効なパスと判断することを特徴とするサービス提供システムである。
【０００６】
本発明のサービス提供システムでは、予めパスを市中に配付しておく。パスには、記憶媒体が内蔵されており、この記憶媒体には、予備記憶記号が記憶されている。ここでパスは、市中に大量に配付されるが、各パスに記憶された予備記憶記号は全て異なり、同一のものは存在しない。
またパスの表面や付属書類には、パス表示記号が表示されている。なお前記した予備記憶記号とパス表示記号は同一のものであってもよく、異なるものであってもよい。
そしてサービスの享受を受けようと欲するものは、手元のパスの表示記号をサービス提供者に伝える。表示記号を伝える方策は、インターネット等の回線を利用することが可能である。
サービス提供者は、表示記号が付けられたパスを特定し、このパスの予備記憶記号を特定する。そして読み取り装置に、この表示記号（又は予備記憶記号）が付されたパスが有効なパスであると認識させる。即ちパスを読み取り装置にかけ、このパスが有効なパスであると判断されると、例えばゲートが開いて入場が許されるといった一連の動作が実行される。
【０００７】
請求項２に記載の発明は、サービス提供者は、パスの記号を記憶する記憶手段と、パスに内蔵された記憶媒体から記憶された信号を読み取るリーダー装置と、リーダー装置が読み出した記号と記憶手段が記憶する記号とを比較してパスの有効性を判断する判断手段とを有し、前記サービス提供者は、多数の者に対してパスを配付し、当該パスには読み取り可能な記憶媒体が設けられていると共に各パスの記憶媒体には重複の無い予備記憶記号が記憶されており、さらに前記パス又はパスの付属品には重複の無いパス表示記号が表示されており、サービスの享受を希望する者は、回線を使用して前記パス表示記号をサービス提供者に発信し、受信された表示記号に対応する予備記憶記号が前記記憶手段に入力されることを特徴とするサービス提供システムである。
【０００８】
本発明のサービス提供システムにおいても、先の発明と同様のパスを市中に配付しておく。
そしてサービスの享受を受けようと欲するものは、手元のパスの表示記号をインターネット等の回線を利用してサービス提供者に発信する。一方、サービス提供者では、受信された表示記号に対応する予備記憶記号が記憶手段に入力される。
その結果、記憶手段は、有効な記号が何であるかを記憶することができる。また逆に全ての記号の中から、入力された記号の記憶を抹消し、無効の記号が何であるかを記憶させてもよい。
サービス享受者は、前記した処置を終えたパスを持参し、リーダー装置でパスの記号を読み取らせる。そしてリーダー装置が読み出した記号と記憶手段が記憶する記号とを比較し、パスが有効であるならば、例えばゲートが開いて入場が許されるといった一連の動作が実行される。
【０００９】
請求項３に記載の発明は、サービスの享受を希望する者は、サービスに対する対価を支払い、当該対価の支払いが確認されたことを条件の一つとしてパスの有効性が判断されることを特徴とする請求項１又は２に記載のサービス提供システムである。
【００１０】
本発明のサービス提供システムでは、対価の支払いが確認されたことを条件の一つとしてパスの有効性が判断される。そのためサービス提供者は、料金不払いのリスクから開放される。
【００１１】
請求項４に記載の発明は、パスは無償で配付されることを特徴とする請求項１乃至３のいずれかに記載のサービス提供システムである。
【００１２】
本発明のサービス提供システムでは、パスは無償で配付されるので、気軽に持ちかえってもらえる。
【００１３】
また請求項５に記載の発明は、パスは付録として配付されることを特徴とする請求項１乃至４のいずれかに記載のサービス提供システムである。
【００１４】
本発明のサービス提供システムでは、パスは付録として配付されるので配付するためにかかる手間が少ない。
【００１５】
請求項６に記載の発明は、パスは他の物の一部であり、これを切り取ってパスとして使用されることを特徴とする請求項１乃至５のいずれかに記載のサービス提供システムである。
【００１６】
本発明のサービス提供システムでは、パスは物の一部であるから配付するためにかかる手間が少ない。また他の物の一部を切り取ってパスとして使用されるものであるから、嵩張らない。
【００１７】
請求項７に記載の発明は、ゲートを有し、パスが有効である場合に当該ゲートが開くことを特徴とする請求項１乃至６のいずれかに記載のサービス提供システムである。
【００１８】
本発明によると、サービス提供施設に対する入場が円滑に行われる。
【００１９】
請求項８に記載の発明は、サービスの享受を希望する者は、サービスの内容を選択可能であることを特徴とする請求項１乃至７のいずれかに記載のサービス提供システムである。
【００２０】
本発明によると、例えば、パスを入場券としてのみ使用したり、施設利用券や食事その他の金券を兼ねさせることを選択することができる。
また例えば全ての遊具やアトラクションを使用できるパスとしたり、利用回数や種類に制限のあるパスとすることを選択することもできる。
。
【発明の効果】
【００２１】
本発明のサービス提供システムによると、当日に施設等の窓口で並ぶ等の必要がなく、且つ、当日以外に屋外に出向く必要もなく、さらに出発の直前においても入場券等を手に入れることが可能となり、利便性が高い。
【発明を実施するための最良の形態】
【００２２】
以下さらに本発明の実施形態について説明する。
図１は、本発明のサービス提供システムで使用するパスの正面図である。図２は、インターネットを使用したパスの入力画面を説明する概念図である。図３は、本発明のサービス提供システムの概念図である。
本発明のサービス提供システムでは、サービス提供者が予め市中にパス１を大量に配付する。パス１は、例えば樹脂や紙、或いはこれらの積層物で作られたものであり、記憶媒体２が内蔵されている。記憶媒体２は、例えばＩＣチップであり、少なくとも内容を読み出すことができるものである。記憶媒体２は、磁気記憶媒体の様な接触型のものであってもよいが、非接触型のリーダーによって記憶内容を読み出すことができるものであることが望ましい。本実施形態では、ＲＦＩＤ（Ｒａｄｉｏ  Ｆｒｅｑｕｅｎｃｙ  ＩＤｅｎｔｉｆｉｃａｔｉｏｎ）と称される形式のチップが内蔵されている。このチップは、ＩＣタグとも称される。
【００２３】
記憶媒体２には、記号（予備記憶記号）が記憶されている。ここで記号とは、数字、文字、図形を含む概念である。例えば、本実施形態では、「Ａ１４１４２１３５６Ｂ」の記号が記憶されている。またパス１の表面には、先の予備記憶記号と同一の記（表示記号）が表示されている。
さらにパス１には、何のパスであるかを示す表示その他の書誌的文字が印刷されている。本実施形態では、「六甲遊園地のパス」である旨が明記されている。
【００２４】
パスは、大量に生産され、ポスティングや、街頭での無料配付等によって多くの人に配付される。ガイドブックと共に配付したり、ガイドブックに添付してもよい。
ただし、パス１の記憶媒体２に記憶された記憶記号及び表示記号は、全てのパスで異なり、同一のものは無い。
【００２５】
パスは、各家庭に持ち帰られて保管される。そしてサービスの提供を受けたいと思った時に所定の内容をインターネット回線を通じてサービス提供者に通知する。
例えば、２００６年１２月１０日に「六甲遊園地」で遊びたいと考えた場合は、サービス享受者は、自己の（サービス享受者側の）コンピュータ１０を操作し、インターネット回線を通じてサービス提供者が開設するホームページを開き、パス１に表示された予備記憶記号をサービス提供者に通知する。
具体的に説明すると、所定のホームページ等にアクセスすると、図２の様な入力画面が現れ、パス番号の入力が要求される。この欄には、前記したパス１の表面に記載の表示記号を入力する。
続いて使用日、使用者を入力する。またパスの能力を選択する。例えば入場券としてのみ使用する場合であれば、入場券の欄だけをクリックする。中の遊具等を無制限に使用したい場合は、フリーパスの欄をクリックし、所定回数だけ使用したい場合は、回数券の欄をクリックする。また食事やお土産の購入についても、パスを使用したい場合には、食事券の欄をクリックする。
アトラクションの予約を行うことができるようにしてもよい。
【００２６】
その後、クレジットカードでパスの購入に要する費用を清算する。例えば、クレジットカードの番号や、カードの種類（会社名等）、クレジットカードの名義等を入力する。
そしてこれらの内容をインターネットを通じて発信する。
受信したサービス提供者側では、クレジットカードの有効性を確認し、引き落としの手続を実行する。そしてカードによる決算が終了すると、インターネットを通じてサービス享受者側のコンピュータ１０にパス１が有効となった旨が通知される。これらの一連の動作は、人手によることなく、サービス提供者側のコンピュータ１１によって自動的に処理される。
【００２７】
また受信した書誌的事項は、一旦、サービス提供者側のコンピュータ１１に記憶されるが、その後、現場のコンピュータ１２に送信される。
現場のコンピュータ１２は、サービスの提供現場たる六甲遊園地に設置されており、記憶手段と、判断手段の機能を備えるものである。また本実施形態では、入場ゲート１３と現場のコンピュータ１２によって読み取り装置が構成されている。
現場のコンピュータ１２のメモリーには、サービス提供者側のコンピュータ１１から送信された記号と、使用日が記憶されている。
また現場のコンピュータ１２には、入場ゲート１３に接続されている。入場ゲート１３はリーダー装置１５を内蔵しており、リーダー装置１５の信号は現場のコンピュータ１２に入力される。
リーダー装置１５は、非接触状態であり、パス１の記憶内容を読み取ることができるものである。
【００２８】
そして使用日の当日に、使用者がパス１を持参し、入場ゲート１３を通過すると、入場ゲート１３に内蔵されたリーダー装置１５がパス１の記憶内容を読み出す。そしてこの内容が、現場のコンピュータ１２に発信される。現場のコンピュータ１２では、使用日と、パス１から読み出された予備記憶記号を、記憶された使用日及び予備記憶記号とを照合し、該当するものがあった場合には、パス１が有効であると判断する。
そして入場ゲート１３を開き、通行を許す。逆に該当するものが無い場合には、所定の警報を発し、管理者に通知する。
【００２９】
また場内における各遊具等にも同様のゲート装置があり、パス１の内容を確認し、当該遊具等を使用することができるパスであるならばゲートを開く。
その際に、パスの使用者の名前を呼んだり、キャラクターが話しかけるといった方策も考えられる。
【００３０】
上記した実施形態によると、パスをパンフレットや雑誌と共に市中に配付することができるので、宣伝効果が高く、且つ現地の窓口で並ぶ必要も無いので来場意欲を喚起することができる。またこれらに掛かる経費は、他の方策による場合に比べて安い。
さらに場内における各遊具やパピリオンへの入場をパスで行うこととし、各遊具を利用した者のパスの記号を記憶したり利用者の数をカウントすることにより、来場者の行動を把握したり、遊具の利用状況を把握することができる。
例えば来場者の年層や性別による施設の利用状況を把握することができる。さらに施設の利用時間を記録することとすれば、利用者の来場後の足取りを知ることができ、どの順番に施設を利用するかを把握することができる。
また施設内において、パスを申し込む際に記載した年齢や性別に応じたサービスを行うこともできる。
【００３１】
以上説明した実施形態では、パスを無料で配付したが、勿論有償であってもよい。また図４に示すような飲料２０の付録としてパス１を配付してもよい。さらに雑誌の付録としたり、図５の様に雑誌２１の一部にパス１の内容を印刷し、さらに雑誌の中（パス１部分）に記憶媒体２を埋め込み、パス１の部分を雑誌から切り取って使用してもよい。
またパスは、使い捨てであっても何度も使用できるものであってよい。サービス提供者等が複数の施設を持つ様な場合は、一つのパスで複数の施設が利用できるようにしてもよい。この場合は、インターネット等で予備記憶記号を入力する際に、使用する施設を選択することとなる。
【図面の簡単な説明】
【００３２】
【図１】本発明のサービス提供システムで使用するパスの正面図である。
【図２】インターネットを使用したパスの入力画面を説明する概念図である。
【図３】本発明のサービス提供システムの概念図である。
【図４】本発明のサービス提供システムで使用するパスの変形例の正面図である。
【図５】本発明のサービス提供システムで使用するパスの他の変形例の正面図である。
【符号の説明】
【００３３】
１    パス
２    記憶媒体
１０    サービス享受者側のコンピュータ
１１    サービス提供者側のコンピュータ
１２    現場のコンピュータ
１３    入場ゲート
１５    リーダー装置
２０    飲料
２１    雑誌
【図１】
2007188256.tif 000003
【図２】
2007188256.tif 000004
【図３】
2007188256.tif 000005
【図４】
2007188256.tif 000006
【図５】
2007188256.tif 000007